(57)【要約】【課題】フィーダパンとフィーダパンを加振する振動器とを備えて物品を搬送する組合せ秤の物品搬送装置において、隣接するフィーダパン同士の間を乗り越えて物品が落下することを防止する。【解決手段】フィーダパン５に、物品の搬送方向に延びる略平面状の搬送面５１と、搬送面５１の両脇に沿って起立する２つの壁面５２，５２と、一方の壁面５２の上端に連設され且つ搬送面５１側に下る斜面とその反対側に下る斜面とを有する第一振分面（上層側振分面５３０）と、他方の壁面５２の上端に連設され且つ搬送面５１側に下る斜面を有する第二振分面（下層側振分面５３１）と、第一振分面上を移動する物品が当接するように第一振分面上に設けられ且つ当接する物品に下向きの加速度を付与する当接面５５ａとを、設けた。【選択図】図８
2010064817.tif 000002
【特許請求の範囲】
【請求項１】
フィーダパンと前記フィーダパンを加振する振動器とを備えて前記フィーダパン上で物品を搬送する組合せ秤の物品搬送装置において、
前記フィーダパンは、
前記物品の搬送方向に延びる略平面状の搬送面と、前記搬送面の両脇に沿って起立する２つの壁面と、前記２つの壁面のうち一方の上端に連設され且つ前記搬送面側に下る斜面とその反対側に下る斜面とを有する第一振分面と、前記第一振分面上を移動する前記物品が当接するように前記第一振分面上に設けられ且つ当接する前記物品に下向きの加速度を付与する当接面とを、備える、
組合せ秤の物品搬送装置。
【請求項２】
前記当接面は、前記搬送面に対して９０度以下の傾きを有する、
請求項１に記載の組合せ秤の物品搬送装置。
【請求項３】
前記第一振分面は、前記搬送面側に下る斜面とその反対側に下る斜面とにより形成される稜線の高さが前記搬送面に対して変化する部分を有し、この部分に前記当接面が設けられている、
請求項１又は２に記載の組合せ秤の物品搬送装置。
【請求項４】
前記当接面は、搬送方向上流側よりも下流側が下方に位置している、
請求項１〜３の何れか一項に記載の組合せ秤の物品搬送装置。
【請求項５】
前記フィーダパンは、前記２つの壁面のうち他方の上端に連設され且つ前記搬送面側に下る斜面を有する第二振分面を更に備える、
請求項１〜４の何れか一項に記載の組合せ秤の物品搬送装置。
【請求項６】
前記フィーダパンを複数備え、互いに隣接して配置される一方の前記フィーダパンの前記第一振分面が、他方の前記フィーダパンの前記第二振分面の上方に位置するように、複数の前記フィーダパンが組み合わされて配置されている、
請求項５に記載の組合せ秤の物品搬送装置。
【請求項７】
前記振動器は、前記フィーダパンを前記搬送方向及び上方向への加速度成分を有するように加振するように構成されている、
請求項１〜６の何れか一項に記載の組合せ秤の物品搬送装置。
【発明の詳細な説明】
【技術分野】
【０００１】
本発明は、組合せ秤に備えられる物品搬送装置に関し、特に物品搬送装置が備えるフィーダパンの構造に関する。
【背景技術】
【０００２】
組合せ秤は、一般に、複数の計量容器を備えており、複数の計量容器内の被計量物の計量値を種々に組合せ、これらの組合せの中から、合計重量が目標重量に最も近い値の組合せを選択し、選択された組合せの計量容器から被計量物を排出するものである。組合せ秤には、被計量物を複数の計量容器に分散させて供給するために物品搬送装置が備えられている。
【０００３】
上記のような物品搬送装置として、例えば、特許文献１に記載されているように、分散フィーダと、この分散フィーダを包囲するように放射状に配置された複数の直進フィーダとを備えたものが知られている。分散フィーダは、円錐状のトップコーンと、このトップコーンに振動を付与する振動器を備えており、トップコーンの略中央部に供給された物品（組合せ秤における被計量物）はトップコーン上をその傾斜と振動とにより分散しながら転落し、トップコーンの周縁から直進フィーダへ落下する。また、直進フィーダは、フィーダパンと、このフィーダパンに振動を付与する振動器とを備えている。そして、分散フィーダから直進フィーダのフィーダパンに送られてきた物品は、フィーダパンの振動により下流側（供給ホッパ側）へ搬送され、各直進フィーダに対応して設けられた供給ホッパへ落下する。供給ホッパへ落下した物品は、供給ホッパの下方に配置された計量ホッパ（計量容器）に投入される。
【０００４】
上述のような直進フィーダのフィーダパンには、一般に、分散フィーダのトップコーンの周縁下部から供給ホッパの上方まで物品を搬送する搬送面と、この搬送面の両側に沿ってそれぞれ起立した側壁とが一体的に構成されている。複数の直進フィーダのフィーダパンは、隣接するフィーダパンの側壁同士を上下に重ね合わせるようにして、分散フィーダのトップコーンの周縁を環状に包囲するように配置されている。ところが、このように隣接して配置された直進フィーダのフィーダパンとの境界（側壁）を物品が跨る現象が生じ、これにより後続する物品の移動が阻止されてブリッジが発生し、物品が円滑にフィーダパン上を搬送されなくなることが課題となっていた。
【０００５】
そこで、このようなフィーダパン同士の境界における物品の跨り現象を防止するために、特許文献１及び特許文献２に記載のフィーダパンには、物品を搬送面側に強制的に流れさせるガイド部が側壁上に設けられている。このガイド部は、物品の直線的な移動を転向させて隣接するフィーダパンの何れかに物品を流れさせることのできる形状を有している。
【特許文献１】実開平６−２５２２３号公報
【特許文献２】実開平７−３８９２７号公報
【発明の開示】
【発明が解決しようとする課題】
【０００６】
ところで、上記のような物品搬送装置において、直進フィーダのフィーダパンは、搬送される物品の形状等に応じて好適なものが採用される。図９は従来の組合せ秤に備えられた物品搬送装置を説明する図である。例えば、図９（ａ）に示すように、トップコーン３の周縁近傍の側壁からガイド部５９が立ち上がった形状のフィーダパン５が知られている。このようなフィーダパンを、以下に便宜的にタイプＡという。また、例えば、図９（ｂ）に示すように、側壁はタイプＡのものと比較して低く、且つ、搬送方向中途部の側壁からガイド部５９が立ち上がった形状のフィーダパン５が知られている。このようなフィーダパンを、以下に便宜的にタイプＢという。
【０００７】
タイプＡのフィーダパン５では、分散フィーダ３０から直進フィーダ５０に落下した物品は、フィーダパン５の上流部に供給されるやいなや各フィーダパン５の搬送面５８に分かれて移動するので、一旦搬送面５８に落ちた物品は側壁及びガイド部５９を乗り越えて隣接するフィーダパンへ移動することはない。タイプＡのフィーダパンは、主に、キャンディやポテトチップスなどのフィーダパン上を滑らかに転がり落ちる物品に適している。一方、タイプＢのフィーダパン５では、フィーダパン５の上流部に供給された物品は、フィーダパン５の上流部では比較的低い側壁を乗り越えて又は跨って隣接するフィーダパン間を移動することが可能であり、ガイド部５９より下流部ではガイド部５９により隣接するフィーダパン間の移動が阻まれて各フィーダパンの搬送面５８に案内される。タイプＢのフィーダパンは、キャベツの千切りやシュレッドチーズなどの性状が柔らかくて付着性（粘着性）があり比重が小さい物品に適している。但し、搬送面の傾斜、側壁の高さ、ガイド部の立ち上がり位置及び角度は、各物品に応じて適宜定められて、特にフィーダパンの形状によって物品の特性が限定されるわけではない。
【０００８】
タイプＢのフィーダパンでは、物品によるブリッジの発生を防止するために、側壁が比較的低く形成され、ガイド部の立ち上がり角度もやや緩やかに形成されることが多い。しかし、このようなフィーダパンでは、物品がガイド部を乗り越えて下流側へ流れ落ちてしまい供給ホッパ内ではなく隣接する供給ホッパ間に落下することがある。このように供給ホッパ内に投入されなかった物品は、計量されずに組合せ秤から排出されて計量不良を引き起こしたり、組合せ秤の外へ飛散して無駄になったりすることから、被計量物がフィーダパンのガイド部を乗り越えて下流側へ流れ落ちてしまう事態は好ましくない。
【０００９】
本発明は上記のような課題を解決するためになされたものであって、隣接するフィーダパン同士の間を乗り越えて物品が落下することを防止することができる組合せ秤の物品搬送装置を提供することを目的とする。
【課題を解決するための手段】
【００１０】
本発明の組合せ秤の物品搬送装置は、フィーダパンと前記フィーダパンを加振する振動器とを備えて前記フィーダパン上で物品を搬送する組合せ秤の物品搬送装置において、前記フィーダパンは、前記物品の搬送方向に延びる略平面状の搬送面と、前記搬送面の両脇に沿って起立する２つの壁面と、前記２つの壁面のうち一方の上端に連設され且つ前記搬送面側に下る斜面とその反対側に下る斜面とを有する第一振分面と、前記第一振分面上を移動する前記物品が当接するように前記第一振分面上に設けられ且つ当接する前記物品に下向きの加速度を付与する当接面とを、備えるものである。
【００１１】
上位構成の物品搬送装置によれば、第一振分面上を移動する物品は、当接面に当接して下向きの加速度を付与されることにより移動方向を転向し、下方に位置する搬送面に至る。従って、物品搬送装置のフィーダパン上を搬送される物品が、第一振分面の後端から落下することがない。よって、第一振分面が隣接するフィーダパンの搬送面間に位置するように複数のフィーダパンを配置する場合には、隣接するフィーダパン同士の間を乗り越えて物品が落下することを防止することができる。
【００１２】
前記組合せ秤の物品搬送装置において、前記当接面は、前記搬送面に対して９０度以下の傾きを有することが望ましい。これにより、当接面に当接した物品は効果的に移動方向が転向され、確実に搬送面へと移動することができる。
【００１３】
また、前記組合せ秤の物品搬送装置において、前記第一振分面は、前記搬送面側に下る斜面とその反対側に下る斜面とにより形成される稜線の高さが前記搬送面に対して変化する部分を有し、この部分に前記当接面が設けられていることが望ましい。これにより、搬送面から離れる方向へ移動しようとする物品の移動方向を搬送面側へ転向させ、物品を搬送面に確実に移動させることができる。
【００１４】
さらに、前記組合せ秤の物品搬送装置において、前記当接面は、搬送方向上流側よりも下流側が下方に位置していることが望ましい。これにより、物品を、当接面と第一振分面との間でブリッジを起こすことなく、搬送方向下流側且つ下方へ移動させて搬送面へ至るように案内することができる。
【００１５】
また、前記組合せ秤の物品搬送装置において、前記フィーダパンは、前記２つの壁面のうち他方の上端に連設され且つ前記搬送面側に下る斜面を有する第二振分面を更に備えることができる。
【００１６】
このとき、前記組合せ秤の物品搬送装置は、前記フィーダパンを複数備え、互いに隣接して配置される一方の前記フィーダパンの前記第一振分面が、他方の前記フィーダパンの前記第二振分面の上方に位置するように、複数の前記フィーダパンが組み合わされて配置される。
【００１７】
さらに、前記組合せ秤の物品搬送装置において、前記振動器は、前記フィーダパンを前記搬送方向及び上方向への加速度成分を有するように加振するように構成することができる。これにより、フィーダパンの振動とフィーダパンが備える当接面の形状とにより、より効果的に物品を振り分けて搬送方向へ搬送することができる。
【発明の効果】
【００１８】
本発明は、以下に示すような効果を奏する。
【００１９】
本発明によれば、第一振分面上を移動する物品は、当接面に当接して移動方向を転向して下方に位置する搬送面に至るので、隣接するフィーダパン同士の間を乗り越えて物品が落下することを防止することができる。
【発明を実施するための最良の形態】
【００２０】
以下、本発明を実施するための最良の形態について、図面を参照しながら、詳細に説明する。なお、以下では全ての図を通じて同一又は相当する要素には同一の参照符号を付して、その重複説明を省略する。
【００２１】
（実施の形態）
〔組合せ秤９９〕
まず、本発明の実施の形態に係る組合せ秤９９の概略構成について説明する。図１は本発明の実施の形態に係る組合せ秤の概略構成を説明する図である。
【００２２】
図１に示すように、組合せ秤９９は、外部から受け取った被計量物（以下、物品ともいう）をその量を調整しながら供給する供給装置１と、物品の組合せ秤量を行う複数の計量ホッパ８と、供給装置１より供給された物品を各計量ホッパ８へ搬送する分散フィーダ３０、複数の直進フィーダ５０及び複数の供給ホッパ７と、組合せ秤量された物品を包装などの次工程へ送り出す集合シュート１１、集合ファンネル１２及び集合ホッパ１０と、組合せ秤９９の制御及び組合せ演算を行う制御装置１６とを備えている。
【００２３】
供給装置１は、振動器２が取り付けられたトラフ（大型の細長い容器）を備え、このトラフには図示されていない他の装置から物品が供給される。この供給装置１では、トラフの振動によって、トラフ上の物品が分散フィーダ３０へ供給される。但し、供給装置１は、無端状ベルトとこの無端状ベルトに列状に配置された複数の容器とで構成されたベルトコンベアであってもよい。
【００２４】
分散フィーダ３０は、組合せ秤９９の本体の上部（集合シュート１１の上方）に設けられている。分散フィーダ３０は、円錐形状のトップコーン３と、このトップコーン３を加振する振動器４とを備えている。供給装置１より分散フィーダ３０のトップコーン３上に供給された物品は、振動によってトップコーン３上を滑り落ちるうちに放射状に分散する。なお、分散フィーダ３０の上方には、分散フィーダ３０にある物品の量（具体的には、分散フィーダ３０のトップコーン３上にある物品の層厚）を検出するためのレベルセンサ１ａが設けられている。レベルセンサ１ａは、例えば、超音波センサで構成することができる。
【００２５】
分散フィーダ３０の周囲には、複数の直進フィーダ５０が放射状に配設されている。各直進フィーダ５０は、フィーダパン５と、このフィーダパン５を加振する振動器６とを備えている。分散フィーダ３０より直進フィーダ５０のフィーダパン５上に送られた物品は、振動によって供給ホッパ７に送り出される。
【００２６】
各直進フィーダ５０の物品の送出側に供給ホッパ７が１つずつ設けられ、複数の供給ホッパ７は環状に配置されている。さらに、各供給ホッパ７の下方には計量容器としての計量ホッパ８が１つずつ設けられ、複数の計量ホッパ８は環状に配置されている。各供給ホッパ７はゲート７ａを備えており、このゲート７ａが開かれると、供給ホッパ７に保持されている物品は、その下方に位置する計量ホッパ８に投入される。
【００２７】
各計量ホッパ８は、計量ホッパ８内の物品の重量を計量するために、ロードセル等の重量センサ９を備えている。各重量センサ９の計量値（検出信号）は、制御装置１６へ伝達される。
【００２８】
複数の計量ホッパ８の下方には、集合シュート１１が設けられ、集合シュート１１の下端部には集合ファンネル１２が設けられ、集合ファンネル１２の下方には集合ホッパ１０が設けられている。各計量ホッパ８はゲート８ａを備えており、このゲート８ａが開かれると、計量ホッパ８に保持されている物品は集合シュート１１上を滑り落ちて集合ファンネル１２から排出され、集合ホッパ１０に投入される。また、集合ホッパ１０はゲート１０ａを備えており、このゲート１０ａが開かれると、集合ホッパ１０に保持されている物品は、図示しない包装機へ投入される。
【００２９】
続いて、組合せ秤９９の制御系統の構成について説明する。図２は組合せ秤の制御装置の機能ブロック図である。
【００３０】
図２に示すように、制御装置１６は、ＣＰＵを中心とするマイクロプロセッサとして構成されており、ＣＰＵを内蔵した演算制御部２２と、運転プログラムを含む処理プログラム等を記憶し作業領域として利用される主記憶装置部２１と、運転条件データ等が格納された補助記憶装置部２３と、Ｉ／Ｏ回路１８と、Ａ／Ｄ変換回路１３と、ゲート駆動回路１４と、振動制御回路１５とを、備えている。
【００３１】
演算制御部２２には、組合せ秤９９のユーザーインターフェースである操作設定表示装置１７が、信号を相互に送受信可能に接続されている。この操作設定表示装置１７は、組合せ秤９９の運転に係る操作や設定条件を演算制御部２２へ入力するタッチパネル式の操作部と、演算制御部２２の出力を受けて組合せ秤９９の操作画面や運転状態などを表示するスクリーン（表示部）とにより構成されている。
【００３２】
ゲート駆動回路１４は、供給ホッパ７、計量ホッパ８、及び集合ホッパ１０に信号を送信可能に接続されている。そして、ゲート駆動回路１４は、演算制御部２２から信号を受けて、供給ホッパ７、計量ホッパ８、及び集合ホッパ１０に信号を送信するように構成されている。また、振動制御回路１５は、供給装置１、分散フィーダ３０、及び直進フィーダ５０に信号を送信可能に接続されている。そして、振動制御回路１５は、演算制御部２２からの信号を受けて、供給装置１、分散フィーダ３０、及び直進フィーダ５０に信号を送信するように構成されている。
【００３３】
Ｉ／Ｏ回路１８はレベルセンサ１ａと接続されており、レベルセンサ１ａからの検出信号は、Ｉ／Ｏ回路１８を介して演算制御部２２に入力される。また、Ａ／Ｄ変換回路１３は重量センサ９と接続されており、重量センサ９からの検出信号は、Ａ／Ｄ変換回路１３を介して検出値に変換されて、演算制御部２２へ入力される。
【００３４】
なお、本実施の形態において、制御装置１６とは、単独の制御装置のみならず複数の制御装置からなる制御装置群をも意味する。従って、制御装置１６は、単独の制御装置で構成されていてもよく、分散配置され共働して制御する複数の制御装置で構成されていてもよい。
【００３５】
ここで、上記構成の組合せ秤９９の動作を説明する。
【００３６】
組合せ秤９９の制御装置１６は、運転プログラムを実行して、供給装置１及び組合せ秤９９の動作制御を行うとともに組合せ演算を行う。まず、制御装置１６は、振動制御回路１５を介して、供給装置１の振動器２、並びに分散フィーダ３０及び直進フィーダ５０の振動器４，６を動作させるように制御する。これにより、供給装置１から分散フィーダ３０に供給された物品は、トップコーン３から円周方向に分散されて、直進フィーダ５０を通じて、各供給ホッパ７へ送給される。このとき、制御装置１６は、レベルセンサ１ａにより分散フィーダ３０のトップコーン３上の物品の量を検出し、その物品の量が所定量（しきい値）より少なくなると、振動制御回路１５を介して供給装置１の振動器２を動作させることにより、トップコーン３上に常時、所定量以上の物品が供給されるようにしている。
【００３７】
続いて、制御装置１６は、計量ホッパ８が空であることを検知して、ゲート駆動回路１４を介して供給ホッパ７のゲート７ａを開放するように制御する。これにより、供給ホッパ７から計量ホッパ８に物品が投入される。計量ホッパ８に物品が投入されると、制御装置１６は、重量センサ９による計測値（各計量ホッパ８に保持されている物品の重量）をＡ／Ｄ変換回路１３を介して検出し、検出された物品の重量に基づいて組合せ演算を行う。この組合せ演算では、複数の計量ホッパ８のうち、保持する物品の合計重量が目標重量に最も近い値の組合せが１つ選択される。
【００３８】
制御装置１６は、集合ホッパ１０が空であることを検知して、ゲート駆動回路１４を介して組合せに選択された複数の計量ホッパ８のゲート８ａを開放するように制御する。これにより、組合せに選択された計量ホッパ８に保持されていた物品が、集合シュート１１を通じて集合ファンネル１２より排出され、集合ホッパ１０に投入される。そして、制御装置１６は、図示せぬ包装機からの排出許可信号を検知して、ゲート駆動回路１４を介して集合ホッパ１０のゲート１０ａを開放するように制御する。これにより、集合ホッパ１０に保持されている組合せ秤量された物品は、集合ホッパ１０から放出されて図示しない包装機へ投入される。
【００３９】
〔直進フィーダの構造〕
次に、直進フィーダ５０の構造について詳細に説明する。図３はフィーダパンの平面図、図４は図３におけるIV−IV矢視断面図、図５はフィーダパンの斜視図、図６は返し板の変形例１を示すフィーダパンの断面図、図７は返し板の変形例２を示すフィーダパンの断面図、図８はフィーダパン上を移動する物品の流れを説明する図である。なお、図３では、１つのフィーダパン５を実線で表し、このフィーダパン５に隣接して配置されたフィーダパンを二点鎖線で表している。
【００４０】
図１に示すように、直進フィーダ５０は、フィーダパン５とこのフィーダパン５を加振する振動器６とを備えて、フィーダパン５上で物品を搬送する物品搬送装置である。直進フィーダ５０は、周知構造の傾斜する複数枚の板バネを有する振動器６を備え、その振動器６の上部に取付片によってフィーダパン５が支持されている。後述する振動器６は、フィーダパン５を搬送方向及び上方向の加速度成分を有するように加振するように構成されており、これにより、物品は搬送方向に搬送される。図３〜５に示すようにフィーダパン５には、搬送面５１と、搬送面５１の両側に沿って起立した壁面５２，５２と、壁面５２，５２の上端に連続して設けられた上層側振分面５３０及び下層側振分面５３１とが一体的に形成されて、全体として平面視略扇形形状を有している。
【００４１】
搬送面５１は、分散フィーダ３０のトップコーン３の周縁部下方を基端５１ａとし、円錐状のトップコーン３の円錐軸を略中心として放射方向に延びる平面に形成されており、その終端５１ｂは、供給ホッパ７の上部開口上に位置している。以下、この搬送面５１が基端５１ａから終端５１ｂへ延びる方向を「搬送方向」という。搬送面５１は、フィーダパン５の最下段を形成している。この搬送面５１には、搬送方向下流側へ下る傾斜が設けられており、この傾斜と振動器６により付与される振動とによって、基端５１ａ側へ落下した物品は、終端５１ｂ側へ向けて搬送面５１上を移動する。
【００４２】
壁面５２は、搬送面５１の搬送方向と略直交する方向の端辺を下端として起立する面であって、搬送面５１の両脇に沿ってそれぞれ設けられている。この搬送面５１と壁面５２，５２とにより、搬送方向と略直交する方向の横断面が略箱形状となり、この箱形状の部分がフィーダパン５の主搬送部となる。なお、壁面５２，５２は、搬送面５１に対して９０度以上１８０度未満の傾きを有しており、この傾きは、フィーダパン５の最下段である搬送面５１に一旦落下した物品は、壁面５２，５２を乗り越えることなく搬送面５１上を通って搬送方向へ移動できるように定められる。
【００４３】
上層側振分面５３０と下層側振分面５３１とは、隣接して配置されたフィーダパン５，５において平面視において上下に重なり合って配置される部分である。上層側振分面５３０は隣接して配置されたフィーダパン５，５において上側に重なり、下層側振分面５３１は隣接して配置されたフィーダパン５，５において下側に重なる。なお、隣接して配置されたフィーダパン５，５において、上層側振分面５３０と、下層側振分面５３１との間は、各フィーダパン５，５が振動しても干渉しない程度に離間されている。
【００４４】
上層側振分面５３０は、２つの壁面５２，５２のうち一方の上端に連設され、且つ、搬送面５１側に下る斜面とその反対側に下る斜面とから成る横断面略山型形状を有しており、その山型の頂部が連続して稜線を形成している。なお、上層側振分面５３０の斜面の傾きは、壁面５２の傾きよりも緩やかに形成されている。上層側振分面５３０の基端は、壁面５２の基端部近傍において隣接するフィーダパン５，５同士の干渉を避けた位置に形成されている。
【００４５】
そして、本実施の形態において、上層側振分面５３０の搬送面５１に対する稜線の傾斜角度は、基端から後端にかけて３段階（基端部５３ａ，中途部５３ｂ，後端部５３ｃ）に変化している。上層側振分面５３０の基端部５３ａの稜線は、搬送面５１と略平行である。なお、本実施の形態において搬送面５１の基端５１ａから僅かの間は、搬送面５１の他の大部分と比較して大きく傾斜しているが、ここでいう「搬送面５１」とは搬送面５１の基端５１ａから僅かの間を除く大部分のことである。この基端部５３ａに続く上層側振分面５３０の搬送方向の中途部５３ｂの稜線は、後端側に行くに連れて搬送面５１から高くなるように傾斜している。さらに、上層側振分面５３０の後端部５３ｃの稜線は、中途部５３ｂと比較してより急に傾斜している。
【００４６】
一方、下層側振分面５３１は、２つの壁面５２，５２のうち他方の上端に連設され、且つ、搬送面５１側に下る斜面を有している。この下層側振分面５３１の斜面の傾きは、壁面５２の傾きよりも緩やかに形成されている。なお、本実施の形態においては、下層側振分面５３１の剛性を向上させるために、下層側振分面５３１の壁面５２とは反対側に沿ってリブが形成されている。上層側振分面５３０の基端は、上層側振分面５３０の稜線が搬送面５１に対して変化を開始する位置に合わせて、壁面５２の搬送方向中途部に設けられている。下層側振分面５３１の搬送面５１に対する傾斜角度は、その基端から後端にかけて２段階（中途部５３ｂ，後端部５３ｃ）に変化している。下層側振分面５３１の中途部５３ｂの斜面は、後端側に行くに連れて搬送面５１から高くなるように傾斜している。この中途部５３ｂに続く上層側振分面５３０の後端部５３ｃの斜面は、中途部５３ｂと比較してより急に傾斜している。
【００４７】
そして、上層側振分面５３０において、稜線の高さが搬送面５１に対して変化する部分（中途部５３ｂ又は後端部５３ｃ）には、上層側振分面５３０上を下流側へ移動する物品が当接するように返し板５５が設けられている。この返し板５５において物品が当接する面（上流側の面）を、「当接面５５ａ」という。当接面５５ａは、搬送面５１に対して垂直若しくは垂直よりも基端５１ａ側に傾いている。換言すれば、当接面５５ａは、搬送面５１に対して９０度以下の傾きを有している。これにより、当接面５５ａに当接した物品には下向きの加速度が付与され、物品は移動方向を搬送面５１側へ転向する。
【００４８】
さらに、当接面５５ａは、搬送方向において上流側よりも下流側が下方に位置している。これにより、物品が当接面５５ａと上層側振分面５３０との間で滞留してブリッジを起こすことがなく、物品は当接面５５ａに案内されて搬送方向下流側且つ下方へ移動して搬送面５１へ至る。
【００４９】
なお、返し板５５の形状は本実施の形態に限定されるものではなく、少なくとも上層側振分面５３０の稜線とその近傍に亘る範囲の大きさを有し、上層側振分面５３０を稜線を跨って移動する物品が、この返し板５５の当接面５５ａに当接して移動方向を下方へ転向し、この結果、上層側振分面５３０の両側に位置する搬送面５１，５１の何れかに移動できるような形状であればよい。例えば、板状の返し板５５に代えて上層側振分面５３０上に当接面５５ａを有するブロック状の突形状部が設けられていてもかまわない。
【００５０】
なお、図３〜５に示すフィーダパン５では、返し板５５は、上層側振分面５３０の中途部５３ｂ上に設けられている。但し、返し板５５の位置は、上層側振分面５３０の中途部５３ｂに限定されず、例えば、図６に示すように、上層側振分面５３０の中途部５３ｂと後端部５３ｃとの境界に設けたり、或いは、図７に示すように、上層側振分面５３０の後端部５３ｃに設けたりすることができる。つまり、当接面５５ａが、搬送面５１から離れようとする物品の移動方向を搬送面側へ転向させることのできる位置に設けられていればよい。
【００５１】
次に、上記構成のフィーダパン５での物品の動きについて説明する。
【００５２】
図５に示すように、組合せ秤９９にセッティングされたフィーダパン５は、隣接するフィーダパン５，５の上層側振分面５３０と下層側振分面５３１とが平面視において一部重複するように組み合わされて配置され、このように配置された上層側振分面５３０と下層側振分面５３１とにより振分面５３が形成される。つまり、隣接する２つのフィーダパン５，５において、２つの下段の搬送面５１，５１の間に１つの上段の振分面５３が存在することとなる。
【００５３】
振分面５３は、図５において点線で示す稜線５４を介して、隣接する２つのフィーダパン５，５のうち一方へ向かって下る斜面と他方へ向かって下る斜面とをそれぞれ有している。そして、振分面５３は、上流側から下流側に向かって順に、搬送面５１に対して、稜線５４の高さがほぼ変化しない基端部５３ａと、稜線５４の高さが下流側に向かうに連れて高くなるように傾斜している中途部５３ｂと、稜線５４の高さが下流側に向かうに連れて高くなるように中途部５３ｂよりも大きく傾斜している後端部５３ｃとを有している。この振分面５３の後端部５３ｃは、従来のフィーダパンに見られるような、物品の直線的な移動を阻止して搬送面側に流れさせるガイド部としての機能を有している。
【００５４】
図８に示すように、分散フィーダ３０のトップコーン３の周縁から落下してきた物品は、フィーダパン５の下段の搬送面５１及び上段の振分面５３の上に落ちる。
【００５５】
搬送面５１に落ちた物品は、フィーダパン５が振動器６により加振されるとともに、搬送面５１が基端５１ａから後端５１ｂに向かって下る傾きを有することから、搬送面５１上を搬送方向に移動して終端５１ｂに至り、供給ホッパ７へ落下する。
【００５６】
一方、振分面５３の基端部５３ａに落ちた物品は、振分面５３の稜線５４の両側の斜面に沿って搬送面５１へ移動するものもあれば、稜線５４を跨って振分面５３上を下流側へ移動するものもある。特に、千切りキャベツやシュレッドチーズなどの性状が柔らかくて相互に粘着し易く且つ細長い形状の物品は、振分面５３上を稜線に沿って下流側へ移動する傾向が大きい。
【００５７】
振分面５３上を稜線に沿って下流側へ移動した物品が、振分面５３の中途部５３ｂに至ると、稜線５４の傾斜が大きくなることから、その大部分は振分面５３の稜線５４を介して両側の斜面に沿って搬送面５１へ移動するが、幾分かは稜線５４を跨って振分面５３上を下流側へ移動する。振分面５３の中途部５３ｂを稜線５４に沿って下流側へ移動する物品は、やがて返し板５５の当接面５５ａに当接し、その移動方向を下方へ転向して、下段にある搬送面５１へ移動する。このように当接面５５ａが設けられることによって、稜線５４を跨って振分面５３上を下流側へ移動しようとする、つまり、搬送面５１から離れる方向へ移動しようとする物品の移動方向が、搬送面へ向かう方向へ転向する。そして、搬送面５１へ移動した物品は、搬送面５１上を移動して後端５１ｂへ至り、供給ホッパ７へ落下する。
【００５８】
なお、返し板５５は、振分面５３において稜線５４を含む斜面の高い部分に設けられていることから、振分面５３を下流側へ移動する物品のうち当接面５５ａに当接しないものは、振分面５３の斜面の裾の部分を通過していることとなる。このように振分面５３の斜面の裾の部分を通過する物品は、既に搬送面５１へ又は直接に供給ホッパ７へ向かうベクトルを有しているので、後端部５３ｃを乗り越えて供給ホッパ７から外れた位置に落下することはない。また、振分面５３の中途部５３ｂの斜面の裾の部分を下流側へ移動して振分面５３の後端部５３ｃに至る物品があっても、これらの物品は後端部５３ｃにより下流側への直線的な移動が阻止されて搬送面５１へ移動して、供給ホッパ７へ落下する。
【００５９】
上述のようにして、分散フィーダ３０から直進フィーダ５０のフィーダパン５に供給された物品は、搬送面５１の後端５１ｂの後下方に配置された供給ホッパ７へ必ず落下する。従って、物品が振分面５３の後端（隣接するフィーダパン同士の間）を乗り越えて隣接して配置された供給ホッパ７，７の間に落下することはない。
【産業上の利用可能性】
【００６０】
以上のように、本発明に係る組合せ秤の物品搬送装置は、隣接するフィーダパン同士の間を乗り越えようとする物品の移動方向を転向させる当接面を設けることによって、フィーダパンに供給された物品の全てを搬送面の後端の後下方へ搬出できるようにされたものであり、搬送面や壁面並びに振分面などの細部形状に拘らず広くフィーダパンに適用させることができる。
【図面の簡単な説明】
【００６１】
【図１】本発明の実施の形態に係る組合せ秤の概略構成を説明する図である。
【図２】組合せ秤の制御装置の機能ブロック図である。
【図３】フィーダパンの平面図である。
【図４】図３におけるIV−IV矢視断面図である。
【図５】フィーダパンの斜視図である。
【図６】返し板の変形例１を示すフィーダパンの断面図である。
【図７】返し板の変形例２を示すフィーダパンの断面図である。
【図８】フィーダパン上を移動する物品の流れを説明する図である。
【図９】従来の組合せ秤に備えられた物品搬送装置を説明する図である。
【符号の説明】
【００６２】
１  供給装置
２  振動器
３  トップコーン
４  振動器
５  フィーダパン
６  振動器
７  供給ホッパ
８  計量ホッパ
９  重量センサ
１０  集合ホッパ
１１  集合シュート
１２  集合ファンネル
１６  制御装置
３０  分散フィーダ
５０  直進フィーダ
５１  搬送面
５２  壁面
５３  振分面
５３０  上層側振分面
５３１  下層側振分面
５４  稜線
５５  返し板
５５ａ  当接面
９９  組合せ秤
【図１】
2010064817.tif 000003
【図２】
2010064817.tif 000004
【図３】
2010064817.tif 000005
【図４】
2010064817.tif 000006
【図５】
2010064817.tif 000007
【図６】
2010064817.tif 000008
【図７】
2010064817.tif 000009
【図８】
2010064817.tif 000010
【図９】
2010064817.tif 000011